(57)【要約】【課題】  特性劣化を生じにくい弾性付勢力の小さなばね体を用いたとしても、噛合い位置に付加するばね荷重が十分な大きさに保たれるにようにすることによって、噛合い位置に加わる荷重のばらつきを抑えて光ピックアップの走行安定性を向上させる。【解決手段】  リードスクリュー２と樹脂製の歯付き体６とを備える。歯付き体６が光ピックアップＡに取り付けられてリードスクリュー２に直交する方向に向け片持ち状態に延び出ている。歯付き体２をばね体７によって背部から弾発付勢する。歯付き体６の噛合い歯６２とリードスクリュー２との噛合い位置ａに対するばね体７による歯付き体６の付勢位置（軸線位置Ｌ）を、噛合い位置ａよりも歯付き体６の自由端６３側にオフセットさせてある。オフセット幅Ｈをガイド軸２の傾角調整幅をよりも大きく定める。【選択図】        図２
2008257826.tif 000002
【特許請求の範囲】
【請求項１】
リードスクリューと、このリードスクリューに噛み合ったままそのリードスクリューの回転に追従して送り移動される樹脂製の歯付き体とを備え、上記歯付き体が、傾角調整されるガイド軸に沿って移動可能な光ピックアップに取り付けられて上記リードスクリューの軸線に直交する方向に向け片持ち状態に延び出ていると共に、その歯付き体を背部から弾発付勢してその噛合い歯を上記リードスクリューに対する噛合い方向に付勢するばね体を備える光ピックアップの送り装置において、
上記歯付き体の噛合い歯と上記リードスクリューとの噛合い位置に対する上記ばね体による上記歯付き体の付勢位置を、上記噛合い位置よりもその歯付き体の自由端側にオフセットさせてあることを特徴とする光ピックアップの送り装置。
【請求項２】
上記噛合い位置に対する上記付勢位置のオフセット幅が、上記ガイド軸の傾角調整幅よりも大きく定められている請求項１に記載した光ピックアップの送り装置。
【請求項３】
樹脂製の上記歯付き体は、上記光ピックアップに取り付けられた樹脂製の取付け枠部に一体成形されていて、その取付け枠部から上記リードスクリューに近付く方向に突出された支持片部の突出端に基部を有して上記リードスクリューの軸線に直交する方向に向け片持ち状態に延び出た樹脂ばね片に上記噛合い歯を一体成形してなる請求項１又は請求項２に記載した光ピックアップの送り装置。
【請求項４】
上記ばね体が、間隔を隔てて相対向している上記取付け枠部と上記樹脂ばね片との間に介在されたコイルばねでなる請求項３に記載した光ピックアップの送り装置。
【請求項５】
上記ばね体による歯付き体の付勢位置を上記コイルばねの軸線位置として規定している請求項４に記載した光ピックアップの送り装置。
【発明の詳細な説明】
【技術分野】
【０００１】
本発明は、光ピックアップの送り装置に関する。特に、常時弾発付勢されている樹脂ばね片に噛合い歯が備わっている歯付き体の上記噛合い歯がリードスクリューに噛み合わされていて、そのリードスクリューの回転によって歯付き体と共に光ピックアップがガイド軸に沿って送り移動するように構成されている光ピックアップの送り装置に関する。
【背景技術】
【０００２】
図５にこの種の光ピックアップの送り装置の基本的な概略構成を平面図で示してある。同図において、光ピックアップＡは、対物レンズ１を含む光学系要素（不図示）を備えていると共に、その両側に配備されているガイド軸２と補助ガイド軸３とにより案内されて図示していない記録媒体としてのディスクの半径方向Ｙに往復移動可能である。また、送り装置は、フィードモータ４によって定位置で回転駆動されるリードスクリュー５と、このリードスクリュー５の回転に追従して直線経路を送り移動される樹脂製の歯付き体６とを備えている。そして、歯付き体６が、上記光ピックアップＡに取り付けられてリードスクリュー５の軸線に直交する方向に向け片持ち状態に延び出ていると共に、その歯付き体６を背部から弾発付勢してその噛合い歯（不図示）をリードスクリュー５に対する噛合い方向に付勢するばね体７を備えている。
【０００３】
図３は上記歯付き体６が一体成形されている歯付き体ユニットＵの概略斜視図、図４は光ピックアップＡに取り付けられた歯付き体ユニットＵの歯付き体６とリードスクリュー５との噛合い部分を説明的に示した従来例の正面図である。
【０００４】
歯付き体ユニットＵは樹脂製の一体成形体でなる。この歯付き体ユニットＵは、図３又は図４によって判るように、光ピックアップＡに取り付けられた取付け枠部８と、その取付け枠部８からリードスクリュー５に近付く方向に突出された支持片部８１と、その支持片部８１の突出端に基部を有してリードスクリュー５の軸線に直交する方向に向けて片持ち状態に延び出た樹脂ばね片６１と、この樹脂ばね片６１の外面に一体成形された２条の噛合い歯６２とを有している。そして、コイルばねでなるばね体７が、間隔を隔てて相対向している上記取付け枠部８と樹脂ばね片６１との間に介在されている。
【０００５】
光ピックアップＡの送り装置を図４のように構成してばね体７の弾性の大きさを樹脂ばね片６１の弾性の大きさ割りに大きくしておくと、歯付き体６の噛合い歯６２とリードスクリュー５との噛合い位置ａでのリードスクリュー５に対する噛合い歯６２の押付け力の大きさをばね体７の弾性の大きさに依存させることができるので、噛合い歯６２とリードスクリュー５との噛合い状態が安定してリードスクリュー５による光ピックアップＡの送り動作の安定性が向上するという利点のあることが判っている。
【０００６】
図４に示した従来例にあっては、ばね体７による歯付き体６の付勢位置が、ばね体７を構成しているコイルばねの軸線位置Ｌとして規定されていて、その軸線位置Ｌを、噛合い歯６２とリードスクリュー５との上記噛合い位置ａに一致させてある。したがって、軸線位置Ｌをリードスクリュー５の回転中心の位置と同一レベルに定めてあるということが云える。
【０００７】
一方、光ピックアップＡの移動を案内するガイド軸２は、光ピックアップＡの対物レンズ１（図５参照）を通過する光軸とディスクの記録面（不図示）との交差角度を適正に定めることの必要性から、組立ライン中で傾角調整操作を通じて図４に矢印Ｆで示したようにたとえば上下に変位される。そのため、ガイド軸２に対する傾角調整が行われると、上記した軸線位置Ｌがたとえば上下に変位して上記した噛合い位置ａに対して位置ずれするという事態が起こり得る。
【０００８】
一方、従来より、光ピックアップの送り装置やディスク駆動装置において、リードスクリューとナット部材（上記した歯付き体に相当する）との噛合いを外れにくくすることについての研究が種々行われている（たとえば、特許文献１、特許文献２参照）。これらの特許文献１及び特許文献２には、リードスクリューから離れる方向へのナット体の変位幅を小さく抑える対策を講じることによって上記噛合いが外れることによる歯飛びを防止することが記載されている。
【特許文献１】特開２００６−３３８７１０号公報
【特許文献２】特開２００６−３４４３２６号公報
【発明の開示】
【発明が解決しようとする課題】
【０００９】
図４を参照して説明した従来例において、噛合い歯６２とリードスクリュー５との噛合いを外れないようにして光ピックアップの移動動作の安定性（光ピックアップの走行安定性）を高めるためには、弾性付勢力の大きなばね体７を用いて上記噛合い位置ａに加わる力を増大させることが有効であるということが云えるけれども、ばね体７による付勢力を徒に増大させることは、フィードモータ４に加わる負荷が大きくなりすぎて却って光ピックアップの走行安定性を損なうことになるだけでなく、ばね体７に動作頻度や経時的作用に起因する特性劣化が顕著に起こって噛合い位置ａに加えられる荷重のばらつきが大きくなる傾向を生じることになる。その反面で、ばね体７による付勢力を弱めると、フィードモータ４に加わる負荷は小さくなるけれども、噛合い歯６２とリードスクリュー５との噛合いが外れやすくなるので、近時の光ピックアップの移動の高速化に対応することが困難になるという問題があった。
【００１０】
また、上記従来例においては、上記したように、ガイド軸２の傾角調整によってばね体７の軸線位置Ｌが上記噛合い位置ａの下側（樹脂ばね片６１の基部側）に位置ずれすることがあり、そのような状況が生じると、ばね体７が噛合い位置ａの下側で歯付き体６を付勢するという事態が起こり、そのために、歯付き体６が上開き姿勢に変形して噛合い歯６２がリードスクリュー５から外れやすくなる（いわゆる歯飛びを起こしやすくなる）という状況が起こり得るという問題もあった。
【００１１】
一方、上掲の特許文献１や特許文献２によって提案されている技術は、ただ単にナット体の変位幅を小さく抑える対策を講じているだけに過ぎないため、上記の問題点を十分に解決することのできるものではない。
【００１２】
そこで、本発明は、特性劣化を生じにくい弾性付勢力の小さなばね体を用いたとしても上記した噛合い位置に対する付勢力（荷重）を十分な大きさに保つことができるような対策を講じることによって、噛合い位置に加えられる荷重のばらつきを抑えて光ピックアップの走行安定性を向上させることができ、しかも、噛合い歯とリードスクリューとの噛合いが外れにくくなって近時の光ピックアップの移動の高速化に十分に対応することのできる光ピックアップの送り装置を提供することを目的とする。
【００１３】
加えて、本発明は、ガイド軸の傾角調整によって上記した歯飛びを起こしやすくなるという状況を生じることのない光ピックアップの送り装置を提供することを目的とする。
【課題を解決するための手段】
【００１４】
本発明に係る光ピックアップの送り装置は、リードスクリューと、このリードスクリューに噛み合ったままそのリードスクリューの回転に追従して送り移動される樹脂製の歯付き体とを備え、上記歯付き体が、傾角調整されるガイド軸に沿って移動可能な光ピックアップに取り付けられて上記リードスクリューの軸線に直交する方向に向け片持ち状態に延び出ていると共に、その歯付き体を背部から弾発付勢してその噛合い歯を上記リードスクリューに対する噛合い方向に付勢するばね体を備える。そして、上記歯付き体の噛合い歯と上記リードスクリューとの噛合い位置に対する上記ばね体による上記歯付き体の付勢位置を、上記噛合い位置よりもその歯付き体の自由端側にオフセットさせてある、というものである。
【００１５】
このように構成された光ピックアップの送り装置によると、ばね体の付勢力が、てこの原理により拡大されて歯付き体の噛合い歯とリードスクリューとの噛合い位置に加わるので、特性劣化を生じにくい弾性付勢力の小さなばね体を用いたとしても噛合い位置に対する付勢力（荷重）を十分な大きさに保つことができるようになる。そのため、噛合い位置に加わる荷重のばらつきが抑制されて光ピックアップの走行安定性が向上することになる。また、噛合い位置に対するばね体による付勢位置を、噛合い位置よりも歯付き体の自由端側にオフセットさせてあるために、ガイド軸の傾角調整によっても、ばね体の軸線位置が噛合い位置よりも樹脂ばね片の基部側に位置ずれする可能性が少なくなり、それだけ歯付き体が上開き姿勢に変形して歯飛びを起こすという状況が改善される。
【００１６】
本発明では、上記噛合い位置に対する上記付勢位置のオフセット幅が、上記ガイド軸の傾角調整幅よりも大きく定められていることが望ましい。これによれば、ガイド軸の傾角調整によっても、ばね体の軸線位置が噛合い位置よりも樹脂ばね片の基部側に位置ずれするという事態の起こる余地がなくなるために、歯付き体が上開き姿勢に変形して歯飛びを起こすという状況が起こり得なくなる。
【００１７】
本発明において、樹脂製の上記歯付き体は、上記光ピックアップに取り付けられた樹脂製の取付け枠部に一体成形されていて、その取付け枠部から上記リードスクリューに近付く方向に突出された支持片部の突出端に基部を有して上記リードスクリューの軸線に直交する方向に向け片持ち状態に延び出た樹脂ばね片に上記噛合い歯を一体成形してなる、という構成を採用したり、上記ばね体が、間隔を隔てて相対向している上記取付け枠部と上記樹脂ばね片との間に介在されたコイルばねでなるという構成を採用したり、上記ばね体による歯付き体の付勢位置を上記コイルばねの軸線位置として規定しているという構成を採用したりすることが可能である。
【００１８】
そして、これらの構成を単独で又は併せて採用すると、図３又は図４を参照して説明した従来の歯付き体ユニットの樹脂ばね片を延長してばね体の配備位置を噛合い位置に対して歯付き体の自由端側にオフセットさせるだけで、上記した従来の問題点を解消し得る光ピックアップの送り装置を提供することが可能になるという利点がある。しかも、ばね体の取付け位置が従来の場合よりも歯付き体の自由端側に位置するようになるためにばね体の取付け作業性が改善されるという利点もある。
【発明の効果】
【００１９】
以上のように、本発明によれば、特性劣化を生じにくい弾性付勢力の小さなばね体を用いて噛合い位置に対する付勢力（荷重）を十分な大きさに保つことができるようになるため、ばね体によって噛合い位置に加えられる荷重のばらつきが抑えられて光ピックアップの走行安定性が向上し、併せて、噛合い歯とリードスクリューとの噛合いが外れにくくなって近時の光ピックアップの移動の高速化に十分に対応することが可能になるという効果が奏される。また、噛合い位置に対する付勢位置のオフセット幅が、ガイド軸の傾角調整幅よりも大きく定められているという構成を採用することによって、ガイド軸の傾角調整を行っても上記効果が損なわれることがなくなるので、性能安定性に優れた光ピックアップを提供することが可能になる。
【００２０】
また、従来例に対して部品を追加したりすることを必要としないため、生産性・量産性が損なわれず、また、コスト高を招く懸念もない。
【発明を実施するための最良の形態】
【００２１】
図１は本発明の実施形態に係る送り装置に用いられる歯付き体ユニットＵの概略斜視図、図２は光ピックアップＡに取り付けられた図１の歯付き体ユニットＵの歯付き体６とリードスクリュー５との噛合い部分を説明的に示した正面図である。なお、実施形態に係る光ピックアップの送り装置の基本的な概略構成は図５を参照して説明したものと同様である。なお、以下の説明では、理解を容易にするために、図３、図４及び図５に示した要素と同一の要素には同一の符号を付すこととする。
【００２２】
図５を参照して説明したように、対物レンズ１を含む光学系要素を備える光ピックアップＡは、その両側に配備されているガイド軸２と補助ガイド軸３とにより案内されて記録媒体としてのディスクの半径方向Ｙに往復移動可能である。そして、送り装置が、フィードモータ４によって定位置で回転駆動されるリードスクリュー５と、このリードスクリュー５の回転に追従して直線経路を送り移動される樹脂製の歯付き体６とを備えている。
【００２３】
図１に示した歯付き体ユニットＵは樹脂製の一体成形体でなり、このものは、図３に示した従来の歯付き体ユニットＵにおける樹脂ばね片６１を延長してその自由端６３の位置を図３のものよりも上位に位置させてある点で図３のものと相違しているけれども、その他の構成は図３のものと同様である。すなわち、図２のように、歯付き体ユニットＵは、光ピックアップＡに取り付けられた取付け枠部８と、その取付け枠部８からリードスクリュー５に近付く方向に突出された支持片部８１と、その支持片部８１の突出端に基部を有してリードスクリュー５の軸線に直交する方向に向けて片持ち状態に延び出た樹脂ばね片６１と、この樹脂ばね片６１の外面に一体成形された２条の噛合い歯６２とを有している。そして、コイルばねでなるばね体７が、間隔を隔てて相対向している上記取付け枠部８と樹脂ばね片６１との間に介在されている。
【００２４】
図２に示した事例では、ばね体７による歯付き体６の付勢位置が、ばね体７を構成しているコイルばねの軸線位置Ｌとして規定されていて、その軸線位置Ｌを、噛合い歯６２とリードスクリュー５との上記噛合い位置ａに対して歯付き体６の自由端６３側に一定幅（オフセット幅）Ｈだけオフセットさせてある。したがって、軸線位置Ｌはリードスクリュー５の回転中心の位置よりも図上で上位に定められているということが云える。
【００２５】
一方、既述したように、光ピックアップＡの移動を案内するガイド軸２は、組立ライン中で傾角調整操作を通じて図２に矢印Ｆで示したようにたとえば上下に変位される。そのため、ガイド軸２に対する傾角調整が行われると、上記した軸線位置Ｌがたとえば上下に変位する。そこで、この実施形態では、噛合い位置ａに対する軸線位置（付勢位置）Ｌのオフセット幅Ｈを、ガイド軸２の傾角調整幅よりも大きく定めてある。
【００２６】
このように構成された光ピックアップＡの送り装置によると、樹脂ばね片６１の基部６４からばね体７の軸線位置Ｌに一致している付勢位置までの距離が、樹脂ばね片６１の基部６４から噛合い位置ａまでの距離よりも長くなるので、てこの原理によりばね体７の付勢力が拡大されて噛合い位置ａに加わる。そのため、特性劣化を生じにくい弾性付勢力の小さなばね体７を用いたとしても、噛合い位置に対するばね荷重を十分な大きさに保つことができるようになる。その結果、噛合い位置ａに加わる荷重のばらつきが抑制されて光ピックアップＡの走行安定性が向上する。また、噛合い位置ａに対するばね体７による付勢位置を、噛合い位置ａよりも歯付き体６の自由端６３側にオフセットさせてあり、しかも、噛合い位置ａに対する軸線位置（付勢位置）Ｌのオフセット幅Ｈを、ガイド軸２の傾角調整幅よりも大きく定めてあることにより、ガイド軸２の傾角調整によっても、ばね体７の軸線位置Ｌが噛合い位置ａよりも樹脂ばね片６１の基部側に位置ずれすることはない。そのため、ガイド軸２の傾角調整によっても、ばね体７の軸線位置Ｌが噛合い位置ａよりも樹脂ばね片６１の基部側に位置ずれするという事態の起こる余地がなくなる。その結果、従来例のように歯付き体６が上開き姿勢に変形することがなくなる。この点に関し、実施形態のように、ばね体７の軸線位置Ｌが噛合い位置ａよりも歯付き体６の自由端６３側にオフセットされていると、ばね体７によって付勢された樹脂ばね片６１はリードスクリュー５に覆い被さる方向に変形する傾向を生じるために、歯飛びが起こる余地はいっそう少なくなる。
【００２７】
特に、この実施形態では、図３又は図４を参照して説明した従来の歯付き体ユニットＵの樹脂ばね片６１を延長してばね体７の配備位置を噛合い位置ａに対して歯付き体６の自由端６３側にオフセットさせただけの構成を採用しているために、歯付き体ユニットＵの形状だけを変更し、他の部分の構造を変更することなく既述した従来の問題点を解消し得る光ピックアップの送り装置を提供することが可能になるという利点がある。
【００２８】
また、ばね体７の取付け位置が従来の場合よりも歯付き体６の自由端６３側に位置するようになるためにばね体７の取付け作業性の改善効果も期待することができるという利点がある。
【００２９】
なお、この実施形態では、ばね体７にコイルばねを採用してあるけれども、ばね体に板ばねを採用することも可能である。
【図面の簡単な説明】
【００３０】
【図１】本発明の実施形態に係る送り装置に用いられる歯付き体ユニットの概略斜視図である。
【図２】光ピックアップに取り付けられた図１の歯付き体ユニットの歯付き体とリードスクリューとの噛合い部分を説明的に示した正面図である。
【図３】従来例に採用されていた歯付き体ユニットの概略斜視図である。
【図４】図３の歯付き体ユニットの歯付き体とリードスクリューとの噛合い部分を説明的に示した従来例の正面図である。
【図５】光ピックアップの送り装置の基本的な概略構成を示した平面図である。
【符号の説明】
【００３１】
２  ガイド軸
５  リードスクリュー
６  歯付き体
７  ばね体
８  取付け枠部
６１  樹脂ばね片
６２  噛合い歯
６３  歯付き体の自由端
８１  支持片部
Ａ  光ピックアップ
Ｌ  ばね体の軸線位置（ばね体による歯付き体の付勢位置）
Ｈ  オフセット幅
【図１】
2008257826.tif 000003
【図２】
2008257826.tif 000004
【図３】
2008257826.tif 000005
【図４】
2008257826.tif 000006
【図５】
2008257826.tif 000007